(57)【要約】【課題】ユーザが所望のコンテンツを容易に把握することを可能にするコンテンツ情報提示装置、コンテンツ情報提示方法およびコンテンツ情報提示プログラムを提供する。【解決手段】映像表示装置の画面に表示されるサムネイル一覧ＳＬにおいて、チャンネル表示部ｂｃには、ユーザにより選択されたチャンネルが表示される。サムネイル表示部ＳＡ１〜ＳＡ１２は、サムネイル一覧ＳＬの中心を基準とする円に沿うように等角度間隔で配置される。サムネイル表示部ＳＡ１〜ＳＡ１２の位置は、時計盤の１時〜１２時の位置にそれぞれ対応する。サムネイル表示部ＳＡ１〜ＳＡ１２には、過去に記録されたコンテンツ、現在放送中のコンテンツ、および将来放送予定のコンテンツのサムネイル画像が各コンテンツの放送時刻に対応するサムネイル表示部に表示される。【選択図】図３
2011119852.tif 000002
【特許請求の範囲】
【請求項１】
コンテンツに関する情報を提示するコンテンツ情報提示装置であって、
コンテンツを提供するチャンネルを選択するチャンネル選択部と、
前記選択部により選択されたチャンネルのコンテンツを取得するコンテンツ取得部と、
提供予定のコンテンツを示す情報を取得する情報取得部と、
前記コンテンツ取得部により取得されたコンテンツを格納する格納部と、
チャンネルごとに、前記格納部に過去に格納されたコンテンツの代表画像、前記コンテンツ取得部により現在取得中のコンテンツの代表画像、および前記情報取得部により取得された情報に基づく代表画像を生成し、生成された代表画像を含む一覧を前記コンテンツに関する情報としてチャンネルごとに画面に表示させる一覧表示制御部とを備え、
前記一覧表示制御部は、過去に格納されたコンテンツの代表画像、現在取得中のコンテンツの代表画像および提供予定のコンテンツを示す情報に基づく代表画像を、時計盤の時刻に対応する複数の表示位置のうち、それぞれ格納された時刻、現在の時刻および提供予定の時刻に対応する表示位置に配置することを特徴とするコンテンツ情報提示装置。
【請求項２】
前記一覧表示制御部は、同時刻に対応する複数の代表画像が存在する場合に、前記複数の代表画像を同じ表示位置に重なるように表示させることを特徴とする請求項１記載のコンテンツ情報提示装置。
【請求項３】
前記一覧表示制御部は、同時刻に対応する複数の代表画像を日時順序で下から上に重なるように表示させることを特徴とする請求項２記載のコンテンツ情報提示装置。
【請求項４】
前記複数の表示位置のいずれかを選択するための表示位置選択部をさらに備え、
前記一覧表示制御部は、前記表示位置選択部により選択された表示位置に配置される複数の代表画像が存在する場合に、複数の代表画像をずらして表示させることを特徴とする請求項１に記載のコンテンツ情報提示装置。
【請求項５】
前記一覧表示制御部は、前記複数の表示位置に表示される複数の代表画像のうち現在取得中のコンテンツの代表画像を他の代表画像よりも大きく表示させることを特徴とする請求項１に記載のコンテンツ情報提示装置。
【請求項６】
前記複数の表示位置は、時計盤の１時から１２時の位置に対応する１２個の表示位置であることを特徴とする請求項１に記載のコンテンツ情報提示装置。
【請求項７】
過去に格納されたコンテンツに対応する代表画像のいずれかを選択するための画像選択部と、
前記格納部に格納されたコンテンツのうち前記画像選択部により選択された代表画像に対応するコンテンツを再生する再生制御部とをさらに備えたことを特徴とする請求項１に記載のコンテンツ情報提示装置。
【請求項８】
一覧表示制御部は、現在の時刻に対応する表示位置を指すように時針を前記画面に表示させることを特徴とする請求項１に記載のコンテンツ情報提示装置。
【請求項９】
コンテンツに関する情報を提示するコンテンツ情報提示方法であって、
コンテンツを提供するチャンネルを選択するステップと、
前記選択されたチャンネルのコンテンツを取得するステップと、
前記選択されたチャンネルの提供予定のコンテンツを示す情報を取得するステップと、
前記取得されたコンテンツを格納するステップと、
チャンネルごとに、過去に格納されたコンテンツの代表画像、現在取得中のコンテンツの代表画像、および取得された提供予定のコンテンツを示す情報に基づく代表画像を生成し、生成された代表画像を含む一覧を前記コンテンツに関する情報としてチャンネルごとに画面に表示させるステップとを備え、
前記表示させるステップは、過去に格納されたコンテンツの代表画像、現在取得中のコンテンツの代表画像および提供予定のコンテンツを示す情報に基づく代表画像を、時計盤の時刻に対応する複数の表示位置のうち、それぞれ格納された時刻、現在の時刻および提供予定の時刻に対応する表示位置に配置するステップを含むことを特徴とするコンテンツ情報提示方法。
【請求項１０】
処理装置により実行可能で、コンテンツに関する情報を提示するためのコンテンツ情報提示プログラムであって、
コンテンツを提供するチャンネルを選択する処理と、
前記選択されたチャンネルのコンテンツを取得する処理と、
前記選択されたチャンネルの提供予定のコンテンツを示す情報を取得する処理と、
前記取得されたコンテンツを格納する処理と、
チャンネルごとに、過去に格納されたコンテンツの代表画像、現在取得中のコンテンツの代表画像、および取得された提供予定のコンテンツを示す情報に基づく代表画像を生成し、生成された代表画像を含む一覧を前記コンテンツに関する情報としてチャンネルごとに画面に表示させる処理とを、前記処理装置に実行させ、
前記表示させる処理は、過去に格納されたコンテンツの代表画像、現在取得中のコンテンツの代表画像および提供予定のコンテンツを示す情報に基づく代表画像を、時計盤の時刻に対応する複数の表示位置のうち、それぞれ格納された時刻、現在の時刻および提供予定の時刻に対応する表示位置に配置する処理を含むことを特徴とするコンテンツ情報提示プログラム。
【発明の詳細な説明】
【技術分野】
【０００１】
本発明は、コンテンツに関する情報を提示するコンテンツ情報提示装置、コンテンツ情報提示方法およびコンテンツ情報提示プログラムに関する。
【背景技術】
【０００２】
従来、放送局等から提供されるコンテンツを記録するために、ハードディスク等の大容量記録装置が用いられる。このような記録装置においては、複数のコンテンツを記録することが可能である。また、デジタル放送およびインターネットの普及に伴い、放送予定のコンテンツを確認するために、電子番組ガイド（ＥＰＧ：Electric Program Guide）が広く利用される。
【０００３】
近年、記録装置に記録されたコンテンツに関する情報とともにＥＰＧに基づいて放送予定のコンテンツに関する情報を画面に表示するコンテンツ情報提示装置が提案されている（例えば、特許文献１参照）。
【０００４】
コンテンツ情報提示装置の一例として、特許文献１に記載されるコンテンツ情報表示装置においては、複数のチャンネルのコンテンツの概要（タイトル、放送時間およびジャンル等）を示すＥＰＧ情報がチューナまたはインターネットを介して取得され、記憶部に記憶される。記憶部においては、未来のコンテンツのＥＰＧ情報に加えて、現在のコンテンツのＥＰＧ情報、および過去のコンテンツのＥＰＧ情報もそれぞれの放送時刻に対応するように記憶される。
【０００５】
ユーザにより選択時刻が設定されることにより、その選択時刻に対応するコンテンツのＥＰＧ情報が記憶部から読み出され、画面上に表示される。ここで、選択時刻は、過去、現在および未来に設定可能である。したがって、このコンテンツ情報表示装置においては、過去、現在および未来のコンテンツのＥＰＧ情報が画面上に表示される。
【先行技術文献】
【特許文献】
【０００６】
【特許文献１】特開２００６−２９５５１４号公報
【発明の概要】
【発明が解決しようとする課題】
【０００７】
しかしながら、上記の特許文献１のコンテンツ情報表示装置においては、選択時刻が設定されるごとに複数のチャンネルのコンテンツが画面表示されるので、ユーザは異なる時刻に放送される複数のコンテンツを時系列で瞬時に把握することができない。そのため、ユーザは、放送時刻の関係に基づいて複数のコンテンツから所望のコンテンツがどれであるかを瞬時に把握することが困難である。
【０００８】
本発明の目的は、ユーザが所望のコンテンツを容易に把握することを可能にするコンテンツ情報提示装置、コンテンツ情報提示方法およびコンテンツ情報提示プログラムを提供することである。
【課題を解決するための手段】
【０００９】
（１）第１の発明に係るコンテンツ情報提示装置は、コンテンツに関する情報を提示するコンテンツ情報提示装置であって、コンテンツを提供するチャンネルを選択するチャンネル選択部と、選択部により選択されたチャンネルのコンテンツを取得するコンテンツ取得部と、提供予定のコンテンツを示す情報を取得する情報取得部と、コンテンツ取得部により取得されたコンテンツを格納する格納部と、チャンネルごとに、格納部に過去に格納されたコンテンツの代表画像、コンテンツ取得部により現在取得中のコンテンツの代表画像、および情報取得部により取得された情報に基づく代表画像を生成し、生成された代表画像を含む一覧をコンテンツに関する情報としてチャンネルごとに画面に表示させる一覧表示制御部とを備え、一覧表示制御部は、過去に格納されたコンテンツの代表画像、現在取得中のコンテンツの代表画像および提供予定のコンテンツを示す情報に基づく代表画像を、時計盤の時刻に対応する複数の表示位置のうち、それぞれ格納された時刻、現在の時刻および提供予定の時刻に対応する表示位置に配置するものである。
【００１０】
このコンテンツ情報提示装置においては、選択部により選択されたチャンネルのコンテンツがコンテンツ取得部により取得され、格納部に格納される。また、提供予定のコンテンツを示す情報が情報取得部により取得される。そして、チャンネルごとに、過去に格納されたコンテンツの代表画像、現在取得中のコンテンツの代表画像、および提供予定のコンテンツを示す情報に基づく代表画像が生成される。
【００１１】
生成された代表画像は、時計盤の時刻に対応する複数の表示位置のうち、各代表画像のコンテンツが格納された時刻、現在の時刻および提供予定の時刻に対応する表示位置にそれぞれ配置される。これにより、ユーザは過去、現在および将来の複数のコンテンツの提供時刻および相互の時間関係を視覚的かつ直感的に瞬時に把握することができる。それにより、ユーザは、所望のコンテンツを容易に選択することが可能になる。
【００１２】
（２）一覧表示制御部は、同時刻に対応する複数の代表画像が存在する場合に、複数の代表画像を同じ表示位置に重なるように表示させてもよい。
【００１３】
これにより、ユーザは、同時刻に提供される複数のコンテンツを視覚的かつ直感的に瞬時に把握することができる。
【００１４】
（３）一覧表示制御部は、同時刻に対応する複数の代表画像を日時順序で下から上に重なるように表示させてもよい。
【００１５】
この場合、ユーザは、同時刻に提供される複数のコンテンツの提供順序を視覚的かつ直感的に瞬時に把握することができる。
【００１６】
（４）コンテンツ情報提示装置は、複数の表示位置のいずれかを選択するための表示位置選択部をさらに備え、一覧表示制御部は、表示位置選択部により選択された表示位置に配置される複数の代表画像が存在する場合に、複数の代表画像をずらして表示させてもよい。
【００１７】
この場合、ユーザは、同時刻に提供される複数のコンテンツの代表画像をそれぞれ容易に視認することができる。
【００１８】
（５）一覧表示制御部は、複数の表示位置に表示される複数の代表画像のうち現在取得中のコンテンツの代表画像を他の代表画像よりも大きく表示させてもよい。
【００１９】
これにより、ユーザは、現在の時刻および現在提供中のコンテンツを視覚的かつ直感的に把握することができる。
【００２０】
（６）複数の表示位置は、時計盤の１時から１２時の位置に対応する１２個の表示位置であってもよい。
【００２１】
これにより、ユーザは、過去、現在および将来のコンテンツの提供時刻を１時間単位で把握することができる。
【００２２】
（７）コンテンツ情報提示装置は、過去に格納されたコンテンツに対応する代表画像のいずれかを選択するための画像選択部と、格納部に格納されたコンテンツのうち画像選択部により選択された代表画像に対応するコンテンツを再生する再生制御部とをさらに備えてもよい。
【００２３】
この場合、ユーザは、一覧として表示された代表画像により各コンテンツの内容を把握した上で、所望のコンテンツを容易に視聴することができる。
【００２４】
（８）一覧表示制御部は、現在の時刻に対応する表示位置を指すように時針を画面に表示させてもよい。
【００２５】
この場合、ユーザは、現在提供中のコンテンツの代表画像を容易に把握することができる。
【００２６】
（９）第２の発明に係るコンテンツ情報提示方法は、コンテンツに関する情報を提示するコンテンツ情報提示方法であって、コンテンツを提供するチャンネルを選択するステップと、選択されたチャンネルのコンテンツを取得するステップと、選択されたチャンネルの提供予定のコンテンツを示す情報を取得するステップと、取得されたコンテンツを格納するステップと、チャンネルごとに、過去に格納されたコンテンツの代表画像、現在取得中のコンテンツの代表画像、および取得された提供予定のコンテンツを示す情報に基づく代表画像を生成し、生成された代表画像を含む一覧をコンテンツに関する情報としてチャンネルごとに画面に表示させるステップとを備え、表示させるステップは、過去に格納されたコンテンツの代表画像、現在取得中のコンテンツの代表画像および提供予定のコンテンツを示す情報に基づく代表画像を、時計盤の時刻に対応する複数の表示位置のうち、それぞれ格納された時刻、現在の時刻および提供予定の時刻に対応する表示位置に配置するステップを含むものである。
【００２７】
このコンテンツ情報提示方法においては、選択されたチャンネルのコンテンツが取得され、格納される。また、提供予定のコンテンツを示す情報が取得される。そして、チャンネルごとに、過去に格納されたコンテンツの代表画像、現在取得中のコンテンツの代表画像、および提供予定のコンテンツを示す情報に基づく代表画像が生成される。
【００２８】
生成された代表画像は、時計盤の時刻に対応する複数の表示位置のうち、各代表画像のコンテンツが格納された時刻、現在の時刻および提供予定の時刻に対応する表示位置にそれぞれ配置される。これにより、ユーザは過去、現在および将来の複数のコンテンツの提供時刻および相互の時間関係を視覚的かつ直感的に瞬時に把握することができる。それにより、ユーザは、所望のコンテンツを容易に選択することが可能になる。
【００２９】
（１０）第３の発明に係るコンテンツ提示プログラムは、処理装置により実行可能で、コンテンツに関する情報を提示するためのコンテンツ情報提示プログラムであって、コンテンツを提供するチャンネルを選択する処理と、選択されたチャンネルのコンテンツを取得する処理と、選択されたチャンネルの提供予定のコンテンツを示す情報を取得する処理と、取得されたコンテンツを格納する処理と、チャンネルごとに、過去に格納されたコンテンツの代表画像、現在取得中のコンテンツの代表画像、および取得された提供予定のコンテンツを示す情報に基づく代表画像を生成し、生成された代表画像を含む一覧をコンテンツに関する情報としてチャンネルごとに画面に表示させる処理とを、処理装置に実行させ、表示させる処理は、過去に格納されたコンテンツの代表画像、現在取得中のコンテンツの代表画像および提供予定のコンテンツを示す情報に基づく代表画像を、時計盤の時刻に対応する複数の表示位置のうち、それぞれ格納された時刻、現在の時刻および提供予定の時刻に対応する表示位置に配置する処理を含むものである。
【００３０】
このコンテンツ情報提示プログラムにおいては、選択されたチャンネルのコンテンツが取得され、格納される。また、提供予定のコンテンツを示す情報が取得される。そして、チャンネルごとに、過去に格納されたコンテンツの代表画像、現在取得中のコンテンツの代表画像、および提供予定のコンテンツを示す情報に基づく代表画像が生成される。
【００３１】
生成された代表画像は、時計盤の時刻に対応する複数の表示位置のうち、各代表画像のコンテンツが格納された時刻、現在の時刻および提供予定の時刻に対応する表示位置にそれぞれ配置される。これにより、ユーザは過去、現在および将来の複数のコンテンツの提供時刻および相互の時間関係を視覚的かつ直感的に瞬時に把握することができる。それにより、ユーザは、所望のコンテンツを容易に選択することが可能になる。
【発明の効果】
【００３２】
本発明によれば、ユーザは、過去、現在および将来の複数のコンテンツの放送時刻および相互の時間関係を視覚的かつ直感的に瞬時に把握することができる。それにより、ユーザは、所望のコンテンツを容易に選択することが可能になる。
【図面の簡単な説明】
【００３３】
【図１】本発明の一実施の形態に係るコンテンツ再生装置の構成を示すブロック図
【図２】コンテンツ情報の一例を示す図
【図３】図２のコンテンツ情報に基づいて図１の映像表示装置の画面に表示されるサムネイル一覧の一表示例を示す図
【図４】図３のサムネイル一覧が表示されている状態から一時間経過後のサムネイル一覧を示す図
【図５】ユーザにより１のサムネイル表示部が選択された場合のサムネイル一覧を示す図
【図６】サムネイル一覧表示処理のフローチャート
【図７】サムネイル一覧表示処理のフローチャート
【発明を実施するための形態】
【００３４】
以下、本発明の一実施の形態に係るコンテンツ情報提示装置について図面を参照しながら説明する。なお、以下では、コンテンツ情報提示装置の一例としてコンテンツ再生装置を説明する。本実施の形態のコンテンツ再生装置は、例えば携帯型の記録再生装置である。また、本実施の形態では、コンテンツを特定するための情報としてサムネイル画像が用いられる。詳細は後述する。
【００３５】
（１）構成
図１は、本発明の一実施の形態に係るコンテンツ再生装置の構成を示すブロック図である。図１に示すように、コンテンツ再生装置１は、受信部１０、デマルチプレクサ２０、バッファ３０、再生制御部４０、出力部５０、操作部６０、コンテンツ格納部７０、一覧表示制御部８０および通信部９０を含む。これらの機能部は、バスＢＵを介して互いに接続される。
【００３６】
受信部１０にはアンテナ１１が接続される。アンテナ１１により受信されるデジタル放送波が、デジタル放送信号として受信部１０に入力される。受信部１０は、デジタル放送信号をデジタルデータに復調して出力する。デジタルデータには、複数のチャンネルの映像データ、音声データ、ＰＳＩ（Program Specific Information）／ＳＩ（Service Information）および字幕データ等の種々の情報が多重化されている。以下、デジタルデータに多重化された種々の情報をデータ情報と呼ぶ。ＰＳＩ／ＳＩには、電子番組ガイド（ＥＰＧ：Electric Program Guide）が含まれる。なお、ＥＰＧには、放送予定のコンテンツの識別番号、放送日時および番組名等の情報が含まれる。
【００３７】
例えば、ワンセグ放送を含む地上デジタル放送では、ＭＰＥＧ（Moving Picture Experts Group）２−ＴＳ（Transport Stream）規格に準拠してデータ情報が多重化されたデジタルデータが用いられる。
【００３８】
デマルチプレクサ２０は、受信部１０から出力されるデジタルデータを各チャンネルに対応するデータ情報に分離して出力する。バッファ３０は、デマルチプレクサ２０から出力されるデータ情報を一時的に格納する。
【００３９】
コンテンツ格納部７０は、例えばＳＤ（Secure Digital）カード等のメモリカードまたはハードディスクドライブからなり、ユーザにより指定されたコンテンツのデータ情報を格納する。それにより、コンテンツの記録が行われる。また、コンテンツ格納部７０は、アンテナ１１、受信部１０、デマルチプレクサ２０およびバッファ３０を通して放送局から送信されるＥＰＧを格納する。
【００４０】
再生制御部４０は、バッファ３０またはコンテンツ格納部７０からデータ情報を読み出し、そのデータ情報から映像データおよび音声データを復号する。
【００４１】
出力部５０は、再生制御部４０により復号された映像データおよび音声データをＤ／Ａ（デジタル／アナログ）変換し、映像信号および音声信号として出力する。
【００４２】
出力部５０には、映像表示装置５１および音声出力装置５２が接続される。映像表示装置５１は例えば液晶ディスプレイを含み、音声出力装置５２は例えばスピーカを含む。出力部５０から出力される映像信号は映像表示装置５１に与えられ、出力部５０から出力される音声信号は音声出力装置５２に与えられる。なお、映像表示装置５１および音声出力装置５２は、コンテンツ再生装置１に一体的に設けられてもよく、コンテンツ再生装置１とは別個に設けられてもよい。
【００４３】
操作部６０は、例えばリモコンまたはタッチパネルからなり、ユーザにより操作される。操作部６０の操作に基づいて、チャンネルの切り替え、音量調整、サムネイル一覧の表示および再生されるべきコンテンツの選択等が行われる。操作部６０の操作は、ボタンまたはキーの入力によって行われてもよく、または、タッチパネル上でのジェスチャ動作が検出されることによって行われてもよい。なお、操作部６０は、例えばユーザのジェスチャ動作（手または指の動作等）を撮像するカメラ等の撮像手段を有してもよい。この場合、撮像手段により撮像された映像（ユーザのジェスチャ動作）に基づいて操作部６０の操作が行われてもよい。
【００４４】
一覧表示制御部８０は、デジタル放送信号を受信することにより得られるデータ情報に基づいてコンテンツに関する情報（以下、コンテンツ情報と呼ぶ）を生成する。また、一覧表示制御部８０は、コンテンツ情報に基づいて後述するサムネイル一覧表示処理を行うことにより、チャンネルごとに現在、過去および将来のコンテンツに関する情報として各コンテンツに関する縮小画像（以下、サムネイル画像と呼ぶ。）を含むサムネイル一覧を生成する。
【００４５】
本実施の形態において、サムネイル画像は、コンテンツの一場面の画像であってもよいし、一時点を縮小することにより得られる静止画像、または一場面のうちの一部を拡大したものであってもよい。また、サムネイル画像は、ＥＰＧ（電子番組ガイド）等により取得されるコンテンツのタイトル、放送時間を表した文字列またはこれらが画像化されたものであってもよいし、ユーザが入力した文字列またはユーザにより入力された文字列が画像化されたものであってもよい。さらに、サムネイル画像は、コンテンツを格納したメディアの種別、ＨＤＤ（Hard Disk Drive）、ＢＤ（Blu-ray  Disc：登録商標）、またはコンテンツの提供元（動画配信サイト名またはその記号等）を表すものであってもよい。
【００４６】
一覧表示制御部８０により生成されたサムネイル一覧は、映像表示装置５１の画面５１ａに表示される。なお、一覧表示制御部８０には、現在の時刻を検出する計時部が内蔵されている。
【００４７】
通信部９０は、例えば有線または無線のローカルエリアネットワーク（ＬＡＮ：Local Area Network）ポート等からなる。通信部９０は、インターネット９１を介してサーバ９２に接続される。
【００４８】
ここで、本実施の形態において、サーバ９２には、ＥＰＧが格納されている。サーバ９２に記録されたＥＰＧは、通信部９０およびインターネット９１を通して一覧表示制御部８０により取得される。
【００４９】
上記の再生制御部４０および一覧表示制御部８０の機能は、例えば、ＣＰＵ（中央演算処理装置）、ＲＯＭ（Read Only Memory）およびＲＡＭ（Random Access Memory）等のハードウェアとコンピュータプログラム等のソフトウェアとにより実現される。
【００５０】
（２）コンテンツ情報
図２は、コンテンツ情報の一例を示す図である。図２に示すように、コンテンツ情報は、コンテンツ番号、日時、およびステートを含み、チャンネルごとに生成される。図２には、チャンネルＡ，Ｂ，Ｃの各々に対応するコンテンツ情報が示されている。
【００５１】
コンテンツ番号は、コンテンツごとに予め定められた識別番号である。日時は、コンテンツの放送日時を示す。また、ステートは、コンテンツの記録状態および放送状態を示す。「記録済」は過去に記録されたコンテンツを意味し、「放送中」は現在放送されているコンテンツを意味し、「放送予定」は将来に放送が予定されているコンテンツを意味する。
【００５２】
以下の説明においては、現在の日時が１０月４日午後６時である場合を想定する。
【００５３】
この場合、図２の例では、過去に記録されたチャンネルＡのコンテンツｒ３１０，ｒ３１３，ｒ３１６，ｒ３２１，ｒ２１１，ｒ２１６，ｒ２１８，ｒ１１２，ｒ１１３，ｒ１１４，ｒ１１６，ｒ１２１，ｒ１２３，ｒ０１６のステートは、「記録済」となる。例えば、コンテンツｒ３１０の放送日時は「１０月１日午後１０時〜午後１１時」であり、コンテンツｒ３１３の放送日時は「１０月１日午後１時〜午後２時」であり、コンテンツｒ３１６の放送日時は「１０月１日午後４時〜午後５時」である。
【００５４】
また、現在放送されているチャンネルＡのコンテンツｒ０１８のステートは「放送中」となる。このコンテンツｒ０１８の放送日時は、「１０月４日午後６時〜午後７時」である。
【００５５】
さらに、将来に放送が予定されているチャンネルＡのコンテンツｒ０１９，ｒ０２０，ｒ０２１のステートは「放送予定」となる。コンテンツｒ０１９，ｒ０２０，ｒ０２１の放送日時は、それぞれ「１０月４日午後７時〜午後８時」、「１０月４日午後８時〜午後９時」および「１０月４日午後９時〜午後１１時」である。
【００５６】
コンテンツ再生装置１の一覧表示制御部８０は、コンテンツ格納部７０に格納されたコンテンツのデータ情報に基づいて過去に記録されたコンテンツのコンテンツ情報を生成する。また、一覧表示制御部８０は、現在受信部１０により受信されているコンテンツのデータ情報に基づいて現在放送されているコンテンツのコンテンツ情報を生成する。さらに、一覧表示制御部８０は、放送局から放送され、コンテンツ格納部７０に格納されたＥＰＧまたはサーバ９２から取得されたＥＰＧに基づいて将来に放送が予定されているコンテンツのコンテンツ情報を生成する。
【００５７】
（３）サムネイル一覧
図３は、図２のコンテンツ情報に基づいて図１の映像表示装置５１の画面５１ａに表示されるサムネイル一覧の一表示例を示す図である。図３に示すように、サムネイル一覧ＳＬは、チャンネル表示部ｂｃ、サムネイル表示部ＳＡ１〜ＳＡ１２および時針ｈｈを含む。
【００５８】
チャンネル表示部ｂｃは、サムネイル一覧ＳＬの上側の一隅部近傍に配置される。チャンネル表示部ｂｃには、ユーザが操作部６０を操作することにより選択されたチャンネルが表示される。本例では、チャンネル表示部ｂｃに「チャンネルＡ」が表示される。
【００５９】
サムネイル表示部ＳＡ１〜ＳＡ１２は、サムネイル一覧ＳＬの中心を基準とする円に沿うように等角度間隔で配置される。具体的には、円の中心の上方にサムネイル表示部ＳＡ１２が配置され、サムネイル表示部ＳＡ１２から時計回りに円の中心に関して３０°の間隔でサムネイル表示部ＳＡ１〜ＳＡ１１が順に配置される。すなわち、サムネイル表示部ＳＡ１〜ＳＡ１２の位置は、時計盤の１時〜１２時の位置にそれぞれ対応する。なお、図３の例では、サムネイル表示部ＳＡ１〜ＳＡ１２が円に沿うように配置されるが、サムネイル表示部ＳＡ１〜ＳＡ１２が楕円状に配置されてもよい。また、映像表示装置５１の画面５１ａが長方形である場合には、画面５１ａの形状に合わせてサムネイル表示部ＳＡ１〜ＳＡ１２が配置されてもよい。すなわち、サムネイル表示部ＳＡ１〜ＳＡ１２が、画面５１ａの外縁に沿って長方形に並ぶように配置されてもよい。この場合、画面５１ａ上のサムネイル表示部ＳＡ１〜ＳＡ１２の見栄えが良好になる。
【００６０】
時針ｈｈは、サムネイル表示部ＳＡ１〜ＳＡ１２の内側でサムネイル一覧ＳＬの中心から、時計盤の現在の時刻に対応する位置に向かうように配置される。したがって、時針ｈｈは、１２時間が経過するとサムネイル一覧ＳＬ内で一周する。
【００６１】
また、時針ｈｈにより指示されるサムネイル表示部には、現在の時刻が対応付けられる。したがって、現在の時刻が午後６時である場合には、時針ｈｈが時計盤の６時の位置に対応するサムネイル表示部ＳＡ６に向かうように表示され、サムネイル表示部ＳＡ６に午後６時が対応付けられる。
【００６２】
現在の時刻に対応付けられたサムネイル表示部ＳＡ６の後のｍ個のサムネイル表示部には、現在の時刻から１時間ずつ経過するｍ時間後までの時刻が対応付けられる。ここで、ｍは、１以上で１０以下の自然数である。
【００６３】
図３の例では、ｍは４である。したがって、現在の時刻に対応付けられたサムネイル表示部ＳＡ６の後の４個のサムネイル表示部ＳＡ７，ＳＡ８，ＳＡ９，ＳＡ１０に、それぞれ午後７時、午後８時、午後９時および午後１０時が対応付けられる。
【００６４】
また、現在の時刻に対応付けられたサムネイル表示部ＳＡ６の前のｎ個のサムネイル表示部には、現在の時刻から１時間ずつ遡ってｎ時間前までの時刻が対応付けられる。ここで、ｎは、１以上で１０以下の自然数であり、ｎ＝１１−ｍである。
【００６５】
図３の例では、ｎ＝７である。したがって、現在の時刻に対応付けられたサムネイル表示部ＳＡ６の前の７個のサムネイル表示部ＳＡ５，ＳＡ４，ＳＡ３，ＳＡ２，ＳＡ１，ＳＡ１２，ＳＡ１１に、それぞれ午後５時、午後４時、午後３時、午後２時、午後１時、午前１２時および午前１１時が対応付けられる。なお、図３では、各サムネイル表示部ＳＡ１〜ＳＡ１２の近傍の括弧内にそれぞれに対応する時刻を示している。
【００６６】
このように、各サムネイル表示部ＳＡ１〜ＳＡ１２には、現在の時刻よりもｎ時間前の時刻から１２時間分の時刻が対応付けられる。
【００６７】
図４は、図３のサムネイル一覧ＳＬが表示されている状態から一時間経過後のサムネイル一覧ＳＬを示す図である。図３のサムネイル一覧ＳＬが表示された状態から１時間が経過した午後７時においては、時針ｈｈが時計盤の７時の位置に対応するサムネイル表示部ＳＡ７に向かうように表示され、サムネイル表示部ＳＡ７に午後７時が対応付けられる。
【００６８】
この場合、現在の時刻に対応付けられたサムネイル表示部ＳＡ７の後の４個のサムネイル表示部ＳＡ８，ＳＡ９，ＳＡ１０，ＳＡ１１に、それぞれ午後８時、午後９時、午後１０時および午後１１時が対応付けられる。また、現在の時刻に対応付けられたサムネイル表示部ＳＡ７の前の７個のサムネイル表示部ＳＡ６，ＳＡ５，ＳＡ４，ＳＡ３，ＳＡ２，ＳＡ１，ＳＡ１２に、それぞれ午後６時、午後５時、午後４時、午後３時、午後２時、午後１時および午前１２時が対応付けられる。
【００６９】
図３に戻り、サムネイル表示部ＳＡ１〜ＳＡ１２には、ユーザが操作部６０を操作することにより選択されたチャンネルＡのコンテンツのサムネイル画像が、図２のコンテンツ情報に基づいて時系列に表示される。
【００７０】
ここで、以下の説明において、「同時刻に放送される複数のコンテンツ」とは、放送開始時点と放送終了時点とが互いに一致する複数のコンテンツに限らず、各放送時間の少なくとも一部がある時刻の０分から５９分までに含まれる複数のコンテンツを意味する。
【００７１】
例えば、放送時間が午後１時０分〜午後１時３０分のコンテンツと、放送時間が午後１時１５分〜午後１時４５分のコンテンツとは同時刻（午後１時）に放送されるコンテンツである。
【００７２】
また、放送時間が午後１時０分〜午後１時３０分のコンテンツと、放送時間が午後１時３０分〜午後１時５５分のコンテンツとは同時刻（午後１時）に放送されるコンテンツである。
【００７３】
図３の例では、時針ｈｈにより指示されるサムネイル表示部ＳＡ６に、チャンネルＡで現在放送中のコンテンツｒ０１８のサムネイル画像ｇｒ０１８が表示される。サムネイル画像ｇｒ０１８は、コンテンツｒ０１８の画像を縮小することにより得られる動画像、またはコンテンツｒ０１８の画像の一時点を縮小することにより得られる静止画像等である。
【００７４】
現在放送中のコンテンツｒ０１８のサムネイル画像ｇｒ０１８は、サムネイル一覧ＳＬで表示される他のサムネイル画像よりも大きく表示される。それにより、ユーザは、現在の時刻および現在放送中のコンテンツを直感的に容易に把握することができる。
【００７５】
ここで、図２のコンテンツ情報では、現在の時刻と同時刻で過去にコンテンツ格納部７０に記録されたコンテンツｒ２１８が存在する。この場合、サムネイル表示部ＳＡ６には、サムネイル画像ｒ０１８の下側に重なるように、コンテンツｒ２１８のサムネイル画像ｇｒ２１８が表示される。
【００７６】
現在の時刻に対応付けられたサムネイル表示部ＳＡ６の後のｍ個のサムネイル表示部には、チャンネルＡで将来に放送が予定されたコンテンツのサムネイル画像がそれぞれ表示される。
【００７７】
図３の例では、現在の時刻（午後６時）に対応付けられたサムネイル表示部ＳＡ６の後の４個のサムネイル表示部ＳＡ７，ＳＡ８，ＳＡ９，ＳＡ１０には、チャンネルＡで将来（午後７時、午後８時、午後９時および午後１０時）に放送が予定されたコンテンツｒ０１９，ｒ０２０，ｒ０２１，ｒ０２１のサムネイル画像ｇｒ０１９，ｇｒ０２０，ｇｒ０２１，ｇｒ０２１がそれぞれ表示される。
【００７８】
将来に放送が予定されたコンテンツのコンテンツ情報はＥＰＧに基づいて生成される。そのため、将来のコンテンツのサムネイル画像としては、例えば番組名等を示す文字列が表示される。なお、サムネイル画像として文字列を用いる場合には、この文字列自身がサムネイル画像として画面に表示されてもよいし、画像化された文字列がサムネイル画像として画面に表示されてもよい。換言すれば、テキストデータに基づく文字列がサムネイル画像として画面上に表示されてもよいし、画像データに基づく文字列がサムネイル画像として画面上に表示されてもよい。
【００７９】
図３の例では、サムネイル画像ｇｒ０１９，ｇｒ０２０，ｇｒ０２１に、それぞれ番組名「ニュースＸ」、「バラエティ２０」および「シネマタイム」の文字列が示されている。
【００８０】
図２のコンテンツ情報では、サムネイル表示部ＳＡ７に対応付けられた時刻（午後７時）と同時刻で過去に記録されたコンテンツｒ２１８が存在する。この場合、サムネイル表示部ＳＡ７には、サムネイル画像ｇｒ０１９の下側に重なるように、コンテンツｒ２１８のサムネイル画像ｇｒ２１８が表示される。サムネイル画像ｇｒ２１８は、コンテンツｒ２１８の画像を縮小することにより得られる動画像、またはコンテンツｒ２１８の画像の一時点を縮小することにより得られる静止画像等である。
【００８１】
また、サムネイル表示部ＳＡ８に対応付けられた時刻（午後８時）と同時刻で過去に記録されたコンテンツｒ２１８が存在する。この場合、サムネイル表示部ＳＡ８には、サムネイル画像ｇｒ０２０の下側に重なるように、コンテンツｒ２１８のサムネイル画像ｇｒ２１８が表示される。
【００８２】
さらに、サムネイル表示部ＳＡ９に対応付けられた時刻（午後９時）と同時刻で過去に記録された記録されたコンテンツｒ３２１，ｒ１２１が存在する。この場合、サムネイル表示部ＳＡ９には、サムネイル画像ｇｒ０２１の下側に重なるように、コンテンツｒ３２１，ｒ１２１のサムネイル画像ｇｒ３２１，ｇｒ１２１が表示される。この場合、コンテンツｒ３２１，ｒ１２１のサムネイル画像ｇｒ３２１，ｇｒ１２１は、記録日時順（または放送日時順）に下から上に重なるように表示される。サムネイル画像ｇｒ３２１，ｇｒ１２１は、コンテンツｒ３２１，ｒ１２１の画像を縮小することにより得られる動画像、またはコンテンツｒ３２１，ｒ１２１の画像の一時点を縮小することにより得られる静止画像等である。
【００８３】
また、サムネイル表示部ＳＡ１０に対応付けられた時刻（午後１０時）と同時刻で過去に記録されたコンテンツｒ３２１が存在する。この場合、サムネイル表示部ＳＡ１０には、サムネイル画像ｇｒ０２１の下側に重なるように、コンテンツｒ３２１のサムネイル画像ｇｒ３２１が表示される。
【００８４】
現在の時刻に対応付けられたサムネイル表示部ＳＡ６の前のｎ個のサムネイル表示部には、過去の時刻に記録されたチャンネルＡのコンテンツのサムネイル画像がそれぞれ表示される。また、過去にコンテンツ格納部７０にチャンネルＡのコンテンツが記録されなかった時刻に対応付けられたサムネイル表示部には、ブランク画像がサムネイル画像として表示される。
【００８５】
図３の例では、現在の時刻に対応付けられたサムネイル表示部ＳＡ６の前の７個のサムネイル表示部ＳＡ５，ＳＡ４，ＳＡ３，ＳＡ２，ＳＡ１，ＳＡ１２，ＳＡ１１のうちサムネイル表示部ＳＡ５にはブランク画像ＢＲが表示される。ブランク画像ＢＲとしては、例えば全面黒色の画像が用いられる。
【００８６】
過去の午後４時に対応付けられたサムネイル表示部ＳＡ４には、過去の午後４時に記録されたコンテンツｒ３１６，ｒ２１６，ｒ１１６，ｒ０１６のサムネイル画像ｇｒ３１６，ｇｒ２１６，ｇｒ１１６，ｇｒ０１６が記録日時順（または放送日時順）に下から上に重なるように表示される。サムネイル画像ｇｒ３１６，ｇｒ２１６，ｇｒ１１６，ｇｒ０１６は、コンテンツｒ３１６，ｒ２１６，ｒ１１６，ｒ０１６の画像を縮小することにより得られる動画像、またはコンテンツｒ３１６，ｒ２１６，ｒ１１６，ｒ０１６の画像の一時点を縮小することにより得られる静止画像等である。
【００８７】
過去の午後３時および午後２時に対応付けられたサムネイル表示部ＳＡ３，ＳＡ２には、それぞれ過去の午後３時および午後２時に記録されたコンテンツｒ１１４のサムネイル画像ｇｒ１１４が表示される。サムネイル画像ｇｒ１１４は、コンテンツｒ１１４の画像を縮小することにより得られる動画像、またはコンテンツｒ１１４の画像の一時点を縮小することにより得られる静止画像等である。
【００８８】
過去の午後１時に対応付けられたサムネイル表示部ＳＡ１には、過去の午後１時に記録されたコンテンツｒ３１３，ｒ１１３のサムネイル画像ｇｒ３１３，ｇｒ１１３が記録日時順（または放送日時順）に下から上に重なるように表示される。サムネイル画像ｇｒ３１３，ｇｒ１１３は、コンテンツｒ３１３，ｒ１１３の画像を縮小することにより得られる動画像、またはコンテンツｒ３１３，ｒ１１３の画像の一時点を縮小することにより得られる静止画像等である。
【００８９】
過去の午前１２時および午前１１時に対応付けられたサムネイル表示部ＳＡ１２，ＳＡ１１には、それぞれ過去の午前１２時および午前１１時に記録されたコンテンツｒ１１２，ｒ２１１のサムネイル画像ｇｒ１１２，ｇｒ２１１が表示される。サムネイル画像ｇｒ１１２，ｇｒ２１１は、コンテンツｒ１１２，ｒ２１１の画像を縮小することにより得られる動画像、またはコンテンツｒ１１２，ｒ２１１の画像の一時点を縮小することにより得られる静止画像等である。
【００９０】
上述のように、本実施の形態では、現在放送中のコンテンツおよび過去に記録されたコンテンツのサムネイル画像は、それらのコンテンツの画像を縮小することにより得られる動画像、またはそれらのコンテンツの画像の一時点を縮小することにより得られる静止画像等である。また、将来に放送予定のコンテンツのサムネイル画像は、例えば番組名等を示す文字列の画像である。
【００９１】
なお、上記では、過去にチャンネルＡのコンテンツが記録されなかった時刻に対応付けられたサムネイル表示部にブランク画像が表示される旨を説明したが、放送休止時間等により現在の時刻でコンテンツが放送されていない場合には、その現在の時刻に対応付けられたサムネイル表示部にもブランク画像がサムネイル画像として表示される。さらに、放送休止時間等により将来の時刻でコンテンツが放送されない場合には、その将来の時刻に対応付けられたサムネイル表示部にもブランク画像がサムネイル画像として表示される。
【００９２】
図３の例では、上述のように、複数の時刻（午後２時〜午後４時）にまたがって放送されるコンテンツｒ１１４のサムネイル画像ｇｒ１１４が、午後２時および午後３時にそれぞれ対応するサムネイル表示部ＳＡ２，ＳＡ３に表示される。これに限らず、複数の時刻（午後２時〜午後４時）にまたがって放送されるコンテンツｒ１１４のサムネイル画像ｇｒ１１４は、午後２時および午後３時のいずれか一方にのみ表示されてもよい。この場合、他方のサムネイル表示部にブランク画像が表示されてもよい。
【００９３】
図３の例では、複数のサムネイル画像が配置されるサムネイル表示部においては、異なる日の同時刻に記録された複数のコンテンツのサムネイル画像が日付順に下から上に重なるように表示されるが、これに限らず、サムネイル表示部には、同日の同時刻に記録された複数のコンテンツのサムネイル画像が時間順に下から上に重なるように表示されてもよい。
【００９４】
上記の例では、選択されたチャンネルのコンテンツのサムネイル画像がサムネイル一覧ＳＬに表示されるが、サムネイル一覧ＳＬには選択されたチャンネルごとおよび選択された放送曜日ごとにコンテンツのサムネイル画像が表示されてもよい。例えば、ユーザにより選択された曜日（例えば、日曜日）のコンテンツのサムネイル画像のみがサムネイル一覧に表示されてもよい。
【００９５】
（４）サムネイル一覧表示に基づくコンテンツの選択
コンテンツ再生装置１のユーザは、操作部６０を操作することにより図１の映像表示装置５１の画面５１ａに表示されるサムネイル一覧ＳＬから所望のコンテンツを選択することができる。
【００９６】
ユーザは、所望のコンテンツを選択する場合、初めにサムネイル一覧ＳＬ中のサムネイル表示部ＳＡ１〜ＳＡ１２のいずれかを選択することにより、所望のコンテンツの放送時刻を選択する。
【００９７】
図５は、ユーザにより１のサムネイル表示部が選択された場合のサムネイル一覧ＳＬを示す図である。図５に示すように、図４のサムネイル一覧ＳＬ中の１つのサムネイル表示部ＳＡ４が選択されると、サムネイル表示部ＳＡ４に重なるように表示されたサムネイル画像ｇｒ３１６，ｇｒ２１６，ｇｒ１１６，ｇｒ０１６が、サムネイル一覧ＳＬの中心に向かってずらされた状態で表示される。また、サムネイル画像ｇｒ３１６，ｇｒ２１６，ｇｒ１１６，ｇｒ０１６は、記録日時順（または放送日時順）に段階的に拡大される。
【００９８】
これにより、ユーザは、図３または図４のサムネイル一覧でサムネイル表示部に複数のサムネイル画像が表示されている場合でも、各サムネイル画像を明確に認識することが可能となる。
【００９９】
なお、例えば選択されたサムネイル表示部に表示されるサムネイル画像が１つである場合には、その１つのサムネイル画像が大きく拡大されつつ、サムネイル一覧ＳＬの中心に表示される。
【０１００】
ユーザは、所望のコンテンツの放送時刻を選択した後、選択された放送時刻に対応する１または複数のサムネイル画像を操作部６０により選択することが可能である。
【０１０１】
ユーザが現在放送中のコンテンツのサムネイル画像を選択した場合には、受信部１０により受信されているコンテンツが図１の再生制御部４０により再生される。ユーザが過去に記録されたコンテンツのサムネイル画像を選択した場合には、記録されたコンテンツが図１の再生制御部４０により再生される。ユーザが将来に放送が予定されたコンテンツのサムネイル画像を選択した場合には、一覧表示制御部８０により選択されたコンテンツの記録予約が行われる。
【０１０２】
（５）サムネイル一覧表示処理
以下、一覧表示制御部８０により実行されるサムネイル一覧表示処理を説明する。図６および図７は、サムネイル一覧表示処理のフローチャートである。
【０１０３】
本実施の形態において、サムネイル一覧表示処理は、ユーザが操作部６０を操作することにより特定のチャンネル（図３〜図５の例では、チャンネルＡ）を選択し、サムネイル一覧の表示を指令することにより開始される。
【０１０４】
図６に示すように、一覧表示制御部８０は、計時部により検出される現在の時刻に基づいてサムネイル一覧に表示すべきコンテンツの放送時刻（以下、表示対象時刻と呼ぶ。）を決定する（ステップＳ１１）。表示対象時刻は、現在の時刻から１時間ずつ経過するｍ時間後までの時刻、および現在の時刻から１時間ずつ遡ってｎ時間前までの時刻を含む。
【０１０５】
次に、一覧表示制御部８０は、計時部により検出される現在の時刻に基づいてサムネイル一覧ＳＬの時針ｈｈの向きを決定する（ステップＳ１２）。
【０１０６】
続いて、一覧表示制御部８０は、現在放送中のコンテンツのデータ情報を図１のバッファ３０から取得する（ステップＳ２１）。そして、一覧表示制御部８０は、取得したデータ情報に基づいて現在放送中のコンテンツのコンテンツ情報を生成するとともに、現在放送中のコンテンツのサムネイル画像を生成し（ステップＳ２２）、生成されたサムネイル画像の配置を決定する（ステップＳ２３）。上記のステップＳ２１〜Ｓ２３の一連の処理を現在画像生成処理ＰＲ２０と呼ぶ。
【０１０７】
また、一覧表示制御部８０は、図１のコンテンツ格納部７０からＥＰＧを取得する（ステップＳ３１）。そして、一覧表示制御部８０は、取得したＥＰＧに基づいて将来に放送予定のコンテンツのコンテンツ情報を生成するとともに、将来の表示対象時刻で放送予定のコンテンツのサムネイル画像を生成し（ステップＳ３２）、生成されたサムネイル画像の配置を決定する（ステップＳ３３）。上記のステップＳ３１〜Ｓ３３の一連の処理を将来画像生成処理ＰＲ３０と呼ぶ。
【０１０８】
さらに、図７に示すように、一覧表示制御部８０は、コンテンツ格納部７０から過去に記録されたコンテンツのデータ情報を取得する（ステップＳ４１）。そして、一覧表示制御部８０は、取得したデータ情報に基づいて過去に記録されたコンテンツのコンテンツ情報を生成するとともに、表示対象時刻で過去に記録されたコンテンツのサムネイル画像を生成し（ステップＳ４２）、生成されたサムネイル画像の配置を決定する（ステップＳ４３）。上記のステップＳ４１〜Ｓ４３の一連の処理を過去画像生成処理ＰＲ４０と呼ぶ。
【０１０９】
その後、一覧表示制御部８０は、一のサムネイル表示部について、複数のサムネイル画像が配置されるか否かを判別する（ステップＳ５１）。
【０１１０】
一のサムネイル表示部に複数のサムネイル画像が配置されない場合、一覧表示制御部８０は、当該サムネイル表示部に１つのサムネイル画像を表示させる（ステップＳ５２）。
【０１１１】
一方、一のサムネイル表示部に複数のサムネイル画像が配置される場合、一覧表示制御部８０は、当該サムネイル表示部に、放送日順で複数のコンテンツにそれぞれ対応する複数のサムネイル画像を下から上に重なるように表示させる（ステップＳ５３）。
【０１１２】
その後、一覧表示制御部８０は、全ての表示対象時刻に対応する全てのサムネイル表示部にサムネイル画像が表示されたか否かを判別する（ステップＳ５４）。
【０１１３】
全てのサムネイル表示部にサムネイル画像が表示されていない場合、一覧表示制御部８０は、ステップＳ５１の処理に戻り、サムネイル画像が表示されていない一のサムネイル表示部について、上記のステップＳ５１〜Ｓ５３の処理を行う。全てのサムネイル表示部にサムネイル画像が表示された場合、一覧表示制御部８０はサムネイル一覧表示処理を終了する。
【０１１４】
上記のサムネイル一覧表示処理において、現在画像生成処理ＰＲ２０、将来画像生成処理ＰＲ３０および過去画像生成処理ＰＲ４０の順序は、上記の例に限定されない。例えば、将来画像生成処理ＰＲ３０、現在画像生成処理ＰＲ２０、および過去画像生成処理ＰＲ４０の順にこれらの処理が実行されてもよいし、過去画像生成処理ＰＲ４０、現在画像生成処理ＰＲ２０および将来画像生成処理ＰＲ３０の順にこれらの処理が実行されてもよい。
【０１１５】
なお、ステップＳ２２において放送中のコンテンツがない場合、ステップＳ３２において放送予定のコンテンツがない場合、およびステップＳ４２において記録されたコンテンツがない場合には、サムネイル画像としてブランク画像が生成される。
【０１１６】
上述のように、図１のコンテンツ再生装置１において、ＥＰＧはアンテナ１１を通して放送局から取得されるとともに、通信部９０を通してサーバ９２から取得されるが、それらの一方のみからＥＰＧが取得されてもよい。
【０１１７】
（６）効果
本実施の形態に係るコンテンツ再生装置１においては、チャンネルごとに、過去に記録されたコンテンツのサムネイル画像、現在放送中のコンテンツのサムネイル画像、および将来放送予定のコンテンツを示すサムネイル画像を含むサムネイル一覧ＳＬが映像表示装置５１の画面５１ａに表示される。この場合、各サムネイル画像は、時計盤の時刻に対応する複数のサムネイル表示部ＳＡ１〜ＳＡ１２のうち、各サムネイル画像のコンテンツが記録された時刻、現在の時刻および将来に放送予定の時刻に対応するサムネイル表示部にそれぞれ配置される。
【０１１８】
これにより、ユーザは、過去、現在および将来の複数のコンテンツの放送時刻および相互の時間関係を視覚的かつ直感的に瞬時に把握することができる。それにより、ユーザは、所望のコンテンツを容易に選択することが可能になる。
【０１１９】
（７）他の実施の形態
（７−１）
上記実施の形態では、サムネイル一覧ＳＬにおいて、将来に放送予定のコンテンツのサムネイル画像として番組名等を示す文字列が示されるが、将来に放送予定のコンテンツの画像を縮小することにより得られる動画像、またはコンテンツの画像の一時点を縮小することにより得られる静止画像等がサムネイル画像として表示されてもよい。
【０１２０】
例えば、インターネットを介して放送局の公式ホームページ等から将来に放送予定のコンテンツの映像データを取得することができる場合には、一覧表示制御部８０はその映像データからサムネイル画像を生成してもよい。
【０１２１】
（７−２）
上記実施の形態では、放送局により放送されるコンテンツがコンテンツ格納部７０に記録されるが、インターネットを通して配信されるコンテンツがコンテンツ格納部７０に記録されてもよい。この場合、インターネットを通して配信されるコンテンツのサムネイル画像をサムネイル一覧ＳＬに表示することができる。
【０１２２】
（７−３）
上記実施の形態では、再生制御部４０および一覧表示制御部８０の機能が、ＣＰＵ、ＲＯＭおよびＲＡＭ等のハードウェアとコンピュータプログラム等のソフトウェアとにより実現されるが、これに限らず、一覧表示制御部８０の一部または全ての機能が、電子回路等のハードウェアにより実現されてもよい。
【０１２３】
（７−４）
上記実施の形態では、時計盤の１時〜１２時に対応する位置にサムネイル一覧ＳＬのサムネイル表示部ＳＡ１〜ＳＡ１２が設定されるが、時計盤の時刻に対応する他の位置にサムネイル表示部が設定されてもよい。例えば、時計盤の３時、６時、９時および１２時に対応する位置に４つのサムネイル表示部が設定されてもよい。
【０１２４】
（８）請求項の各構成要素と実施の形態の各要素との対応関係
以下、請求項の各構成要素と実施の形態の各要素との対応の例について説明するが、本発明は下記の例に限定されない。
【０１２５】
上記実施の形態においては、サムネイル画像が代表画像の例であり、操作部６０がチャンネル選択部および表示位置選択部の例であり、受信部１０、アンテナ１１、デマルチプレクサ２０およびバッファ３０がコンテンツ取得部および情報取得部の例であり、ＥＰＧが提供予定のコンテンツを示す情報の例である。
【０１２６】
また、サムネイル表示部ＳＡ１〜ＳＡ１２が１２個の表示位置の例であり、コンテンツ格納部７０が格納部の例であり、映像表示装置５１、画面５１ａおよび操作部６０が画像選択部の例であり、映像表示装置５１の画面５１ａが画面の例である。
【０１２７】
請求項の各構成要素として、請求項に記載されている構成または機能を有する他の種々の要素を用いることもできる。
【産業上の利用可能性】
【０１２８】
本発明は、コンテンツを再生するための種々の装置に有効に利用することができる。
【符号の説明】
【０１２９】
１  コンテンツ再生装置
１０  受信部
２０  デマルチプレクサ
３０  バッファ
４０  再生制御部
５０  出力部
５１  映像表示装置
５１ａ  画面
５２  音声出力装置
６０  操作部
７０  コンテンツ格納部
８０  一覧表示制御部
９０  通信部
ＳＬ  サムネイル一覧
ｈｈ  時針
ｂｃ  チャンネル表示部
ｇｒ３１３，ｇｒ３１６，ｇｒ３２１，ｇｒ２１１，ｇｒ２１６，ｇｒ２１８，ｇｒ１１２，ｇｒ１１３，ｇｒ１１４，ｇｒ１１６，ｇｒ１２１，ｇｒ１２３，ｇｒ０１６，ｇｒ０１８，ｇｒ０１９，ｇｒ０２０，ｇｒ０２１  サムネイル画像
ＳＡ１〜ＳＡ１２  サムネイル表示部
ＳＬ  サムネイル一覧
【図１】
2011119852.tif 000003
【図２】
2011119852.tif 000004
【図３】
2011119852.tif 000005
【図４】
2011119852.tif 000006
【図５】
2011119852.tif 000007
【図６】
2011119852.tif 000008
【図７】
2011119852.tif 000009